【手続補正書】
【提出日】平成28年1月4日(2016.1.4)
【手続補正１】
【補正対象書類名】特許請求の範囲
【補正対象項目名】全文
【補正方法】変更
【補正の内容】
【特許請求の範囲】
【請求項１】
回路層が形成された第１基板と、
タッチパネルを構成するための配線パターンが形成された第２基板と、
液晶表示パネルを形成するために、前記第１基板と前記第２基板との間に挟まれた液晶材料と、
前記第２基板に重なる部分を有するように接合されて前記配線パターンに電気的に接続するフレキシブル配線基板と、
異方性導電フィルムと、
を含み、
前記フレキシブル配線基板は、多層基板であって、前記配線パターンに重なって前記異方性導電フィルムを介して電気的に接続される複数の端子部を含む第１導電パターン層と、第２導電パターン層と、前記第１導電パターン層と前記第２導電パターン層の間に介在する絶縁層と、前記絶縁層を貫通して前記複数の端子部をそれぞれ前記第２導電パターン層に電気的に接続する複数のコンタクト部と、を含み、
前記複数のコンタクト部は、前記複数の端子部と重なるように配置されることを特徴とするタッチパネル内蔵型液晶表示装置。
【請求項２】
請求項１に記載されたタッチパネル内蔵型液晶表示装置において、
前記フレキシブル配線基板は、前記第２基板に重なる重複部と、前記重複部の長さ方向の中間部を避けて両端部の少なくとも一方から前記長さ方向に交差するように引き出される引出部と、を含み、
前記第２基板の縦方向の一方の側にあって横方向に延びる端部に、前記重複部は重なり、
前記重複部の前記長さ方向と前記第２基板の前記横方向が一致することを特徴とするタッチパネル内蔵型液晶表示装置。
【請求項３】
請求項２に記載されたタッチパネル内蔵型液晶表示装置において、
前記引出部は、前記重複部の前記長さ方向の前記両端部の一方から引き出されていることを特徴とするタッチパネル内蔵型液晶表示装置。
【請求項４】
請求項２に記載されたタッチパネル内蔵型液晶表示装置において、
前記引出部は、前記重複部の前記長さ方向の前記両端部からそれぞれ引き出され、
前記フレキシブル配線基板は、前記重複部から間隔をあけて、前記重複部の前記両端からそれぞれ引き出された前記引出部を連結する連結部をさらに有し、前記重複部と前記連結部の間にスペースが形成されていることを特徴とするタッチパネル内蔵型液晶表示装置。
【請求項５】
請求項２から４のいずれか１項に記載されたタッチパネル内蔵型液晶表示装置において、
前記複数の端子部は、隣り合う２つ以上の前記端子部からそれぞれが構成される複数のグループの前記端子部からなり、
前記第１導電パターン層は、それぞれの前記グループを構成する前記隣り合う２つ以上の前記端子部を電気的に接続する結線部を有することを特徴とするタッチパネル内蔵型液晶表示装置。
【請求項６】
請求項５に記載されたタッチパネル内蔵型液晶表示装置において、
前記第１導電パターン層は、隣同士の前記グループの前記端子部の間に、前記結線部に電気的に導通しないダミー端子を含むことを特徴とするタッチパネル内蔵型液晶表示装置。
【請求項７】
請求項５又は６に記載されたタッチパネル内蔵型液晶表示装置において、
前記複数の端子部は、それぞれ、前記重複部の前記長さに交差する幅方向に延びる形状であり、
前記結線部は、前記重複部の前記長さ方向に延びる形状であり、
それぞれの前記グループを構成する前記隣り合う２つ以上の前記端子部と前記結線部とが、交点部を共有して交差する形状をなしていることを特徴とするタッチパネル内蔵型液晶表示装置。
【請求項８】
請求項７に記載されたタッチパネル内蔵型液晶表示装置において、
前記結線部は、前記重複部の前記幅方向の中央に位置することを特徴とするタッチパネル内蔵型液晶表示装置。
【請求項９】
請求項７に記載されたタッチパネル内蔵型液晶表示装置において、
前記複数のグループの前記端子部にそれぞれ電気的に接続する複数の前記結線部は、前記複数のグループの前記端子部の配列順に、前記重複部の幅方向の一方側から他方側にずれて位置することを特徴とするタッチパネル内蔵型液晶表示装置。
【請求項１０】
請求項９に記載されたタッチパネル内蔵型液晶表示装置において、
前記複数のグループの前記端子部にそれぞれ電気的に接続する複数の前記結線部は、全て、前記重複部の中央よりも前記幅方向のいずれかの側にずれて位置することを特徴とするタッチパネル内蔵型液晶表示装置。
【請求項１１】
請求項７から１０のいずれか１項に記載されたタッチパネル内蔵型液晶表示装置において、
それぞれの前記グループを構成する前記隣り合う２つ以上の前記端子部は、１つの前記端子部と前記結線部との交点にランド部を有し、前記ランド部上に設けられた１つの前記コンタクト部によって、前記第２導電パターン層に電気的に接続されることを特徴とするタッチパネル内蔵型液晶表示装置。
【請求項１２】
請求項１１に記載されたタッチパネル内蔵型液晶表示装置において、
それぞれの前記グループの前記端子部は、３つ以上の前記端子部を含み、
前記ランド部は、前記３つ以上の前記端子部の配列方向で両端を除く位置にある前記端子部に設けられることを特徴とするタッチパネル内蔵型液晶表示装置。
【請求項１３】
請求項１１に記載されたタッチパネル内蔵型液晶表示装置において、
それぞれの前記グループの前記端子部は、３つ以上の前記端子部を含み、
前記ランド部は、前記３つ以上の前記端子部の配列方向で両端のいずれかに位置する前記端子部に設けられることを特徴とするタッチパネル内蔵型液晶表示装置。
【請求項１４】
請求項５から１３のいずれか１項に記載されたタッチパネル内蔵型液晶表示装置において、
それぞれの前記コンタクト部の外径は、前記端子部及び前記結線部の幅よりも大きいことを特徴とするタッチパネル内蔵型液晶表示装置。
【請求項１５】
請求項２から１４のいずれか１項に記載されたタッチパネル内蔵型液晶表示装置において、
前記フレキシブル配線基板の前記重複部は、圧着によって前記第２基板と接合される圧着部及び前記第２基板に圧着を避けて重なる非圧着部を有し、
前記複数のコンタクト部は、前記非圧着部に配置されていることを特徴とするタッチパネル内蔵型液晶表示装置。
【請求項１６】
請求項１５に記載されたタッチパネル内蔵型液晶表示装置において、
前記第２基板の、前記フレキシブル配線基板に接合される前記端部は、前記縦方向の先端側の外方部と、前記先端部よりも前記第２基板の中央側の内方部と、を含み、
前記圧着部は、前記外方部に接合され、
前記非圧着部は、前記内方部に重なることを特徴とするタッチパネル内蔵型液晶表示装置。
【請求項１７】
請求項２から１６のいずれか１項に記載されたタッチパネル内蔵型液晶表示装置において、
前記第１導電パターン層は、前記複数の端子部から分離されて前記引出部に配置された複数の第１配線を含み、
前記第２導電パターン層は、前記複数のコンタクト部にそれぞれ電気的に接続する複数の第２配線を含み、
前記第２導電パターン層の前記複数の第２配線は、それぞれ、前記フレキシブル配線基板の前記重複部を通って、前記引出部で前記第１導電パターン層の前記複数の第１配線に電気的に接続されることを特徴とするタッチパネル内蔵型液晶表示装置。
【請求項１８】
請求項１７に記載されたタッチパネル内蔵型液晶表示装置において、
前記複数の第２配線は、前記重複部で、前記複数のコンタクト部よりも、前記引出部が引き出される側の側端部を通る配線と、前記引出部が引き出される側とは反対側の側端部を通る配線と、を含むことを特徴とするタッチパネル内蔵型液晶表示装置。
【請求項１９】
請求項１７に記載されたタッチパネル内蔵型液晶表示装置において、
前記複数の第２配線は、前記重複部で、前記複数のコンタクト部よりも、前記引出部が引き出される側を避けて、前記引出部が引き出される側とは反対側の側端部を通ることを特徴とするタッチパネル内蔵型液晶表示装置。
【請求項２０】
請求項１７から１９のいずれか１項に記載されたタッチパネル内蔵型液晶表示装置において、
前記第２導電パターン層は、前記複数の第２配線との接触を避けるように形成された面状パターンを有することを特徴とするタッチパネル内蔵型液晶表示装置。
【請求項２１】
請求項１６に記載されたタッチパネル内蔵型液晶表示装置において、
前記第１導電パターン層は、前記複数の端子部から分離されて前記引出部に配置された複数の第１配線を含み、
前記第２導電パターン層は、前記複数のコンタクト部にそれぞれ電気的に接続する複数の第２配線を含み、
前記第２導電パターン層の前記複数の第２配線は、それぞれ、前記フレキシブル配線基板の前記重複部を通って、前記引出部で前記第１導電パターン層の前記複数の第１配線に電気的に接続され、
前記第２導電パターン層は、前記複数の第２配線との接触を避けるように形成された面状パターンを有し、
前記面状パターンは、前記非圧着部との重複を避けて前記圧着部と重複するように形成されていることを特徴とするタッチパネル内蔵型液晶表示装置。
【請求項２２】
請求項５から１４のいずれか１項に記載されたタッチパネル内蔵型液晶表示装置において、
前記第２基板の前記配線パターンは、複数のターミナルを有し、
前記結線部によって電気的に接続されたそれぞれの前記グループを構成する前記隣り合う２つ以上の前記端子部は、前記第２基板の前記配線パターンの１つの前記端子に電気的に接続することを特徴とするタッチパネル内蔵型液晶表示装置。
【請求項２３】
請求項２から２２のいずれか１項に記載されたタッチパネル内蔵型液晶表示装置において、
前記第１基板は、前記第２基板から突出する突出部を有するように配置され、
前記第１基板の前記突出部は、前記フレキシブル配線基板の前記重複部が重なる前記第２基板の前記端部から突出することを特徴とするタッチパネル内蔵型液晶表示装置。
【請求項２４】
請求項２３に記載されたタッチパネル内蔵型液晶表示装置において、
前記フレキシブル配線基板の前記引出部は、前記第１基板の前記突出部の一部との重複を避けるように引き出されていることを特徴とするタッチパネル内蔵型液晶表示装置。
【請求項２５】
請求項２４に記載されたタッチパネル内蔵型液晶表示装置において、
前記第１基板の前記突出部の、前記フレキシブル配線基板の前記引出部と重複しない領域に搭載された集積回路チップと、
前記集積回路チップの外周に接触するように設けられた樹脂と、
をさらに有することを特徴とするタッチパネル内蔵型液晶表示装置。